(57)【要約】【課題】従来の掲示具は、取り付けるための支柱等の構造体が必要であるうえに、着脱作業のさらなる簡略化が要望されていた。【解決手段】箱類Ｂ同士の隙間に差し込んでシートＳを垂下状態に保持するシートホルダＨ１であって、基板１と、基板１の背面から延出する差込板２と、基板１の正面に一辺を回動自在に連結した保持片３とを備え、基板１及び保持片３の相対向する位置に、マグネット４と磁性体５とを相対的に設けた構成とし、とくに、商品を収容した箱類Ｂを積み上げた売り場などに好適であり、シートＳを所定位置に安定して保持すると共に、シートＳの着脱を簡単にした。【選択図】図１
2019020435.tif 000002
【特許請求の範囲】
【請求項１】
箱類同士の隙間に差し込んでシートを保持するものであって、
基板と、基板の背面に対して垂直方向に延出する差込板と、基板の正面に一辺を回動自在に連結した保持片とを備え、
基板及び保持片の相対向する位置に、マグネットとマグネットが吸着する磁性体とを相対的に設けたことを特徴とするシートホルダ。
【請求項２】
保持片が、基板の正面に、上辺及び側辺のいずれか一方の辺を回動自在に連結しており、保持片により、シートを垂下状態に保持することを特徴とする請求項１に記載のシートホルダ。
【請求項３】
保持片が、基板の正面に、下辺を回動自在に連結しており、保持片により、シートを自立状態に保持することを特徴とする請求項１に記載のシートホルダ。
【発明の詳細な説明】
【技術分野】
【０００１】
本発明は、例えば、店舗等において宣伝広告用のシート又はシート類を保持するのに用いられるシートホルダに関するものである。
【背景技術】
【０００２】
従来のシートホルダとしては、例えば、ポップ紙の掲示具の名称で特許文献１に記載されているものがある。特許文献１に記載の掲示具は、円筒状の把持部の一端に、支柱のスリットに対して着脱自在なフック部を有すると共に、把持部の他端に、ロッドの端部を連結し、ロッドに複数のクリップを備えている。この掲示具は、支柱のスリットにフック部を掛止することで、ロッドを水平方向に延出させ、各クリップでポップ紙の上端を挟むことにより、ポップ紙を垂下状態に保持するものである。
【先行技術文献】
【特許文献】
【０００３】
【特許文献１】登録実用新案第３０３９２７１号公報
【発明の概要】
【発明が解決しようとする課題】
【０００４】
ところで、近年では、スーパーマーケットや量販店において、商品のアピール性の向上や、まとめ買いをする客の利便性を図るために、商品を収納した段ボール箱やケース等の箱類を積み上げて陳列することが行われている。ところが、上記したような従来の掲示具は、取り付けるための支柱等の構造体が必要であるうえに、ポップ紙の着脱時に複数のクリップを操作しなければならないので、着脱作業のさらなる簡略化が要望されていた。
【０００５】
本発明は、上記従来の状況に鑑みて成されたものであって、とくに、商品を収容した箱類を積み上げた売り場などに好適であり、ポップ紙等のシートを所定位置に安定して保持することができると共に、シートの着脱を簡単に行うことができるシートホルダを提供することを目的としている。
【課題を解決するための手段】
【０００６】
本発明に係わるシートホルダは、箱類同士の隙間に差し込んでシートを保持するものであって、基板と、基板の背面に対して垂直方向に延出する差込板と、基板の正面に一辺を回動自在に連結した保持片とを備えている。そして、シートホルダは、基板及び保持片の相対向する位置に、マグネットとマグネットが吸着する磁性体とを相対的に設けたことを特徴としている。
【０００７】
本発明に係わるシートホルダは、箱類同士の隙間に差込片を差し込むことにより、基板を正面に向けた状態で固定される。そして、シートホルダは、保持片を回動操作してマグネットと磁性体とでシートの端部を挟持し、同シートを保持する。このシートホルダは、マグネットと磁性体の吸着力に抗して保持片を回動させるだけで、シートを取り外すことができる。
【０００８】
このように、本発明に係わるシートホルダは、とくに、商品を収容した箱類を積み上げた売り場などに好適であり、ポップ紙等のシートを所定位置に安定して保持することができると共に、シートの着脱を簡単に行うことができる。
【図面の簡単な説明】
【０００９】
【図１】本発明に係わるシートホルダの第１実施形態を説明する平面図（Ａ）、側面図（Ｂ）、正面図（Ｃ）、シートを装着する状態を示す要部の側面図（Ｄ）、及びシートを保持した状態を示す要部の側面図（Ｅ）である。
【図２】箱類同士の隙間に取り付ける状態を示す側面図（Ａ）、及び箱類同士の隙間に取り付けた状態を示す側面図（Ｂ）である。
【図３】本発明に係わるシートホルダの第２実施形態を説明する側部断面図（Ａ）、及び平面図（Ｂ）である。
【図４】本発明に係わるシートホルダの第３実施形態を説明する斜視図（Ａ）、第４実施形態を説明する斜視図（Ｂ）、及び各シートホルダを箱類同士の隙間に取り付けた状態を示す斜視図（Ｃ）である。
【図５】本発明に係わるシートホルダの第５実施形態を説明する図であって、シートの取り付け前の状態（Ａ）、シートを取り付ける状態（Ｂ）、及びシートの取付後の状態（Ｃ）を示す各々側面図である。
【図６】本発明に係わるシートホルダの第６実施形態を説明する側面図（Ａ）、及びシートを着脱する状態を示す要部の側面図（Ｂ）である。
【発明を実施するための形態】
【００１０】
〈第１実施形態〉
図１に示すシートホルダＨ１は、箱類同士の隙間に差し込んでシートＳを垂下状態に保持するものである。箱類は、とくに限定されるものではなく、各種筐体を含むものであって、例えばスーパーマーケットや量販店においては、商品を収納した段ボール箱やケース等を対象としている。シートホルダＨ１は、これらの箱類を積み上げた売り場などに適用される。また、シートＳは、商品の宣伝広告等を表示したものであり、その材料が限定されるものではないが、代表的には紙や樹脂シートである。
【００１１】
図示のシートホルダＨ１は、基本構成として、竪の基板１と、基板１の背面に対して垂直方向に延出する差込板２と、基板１の正面に一辺を回動可能に連結した保持片３とを備えている。また、シートホルダＨ１は、基板１及び保持片３の相対向する位置に、マグネット４と同マグネット４が吸着する磁性体５とを相対的に設けている。基板１、差込板２及び保持片３は、その材料が限定されるものではないが、一例としてプラスチック製である。
【００１２】
基板１は、上下辺を長辺とした矩形状を成しており、その背面の下端部に、水平方向に延出する差込板２を連続的に備えている。この基板１は、当然、矩形以外の形状にすることも可能であり、幅や高さを自由に設定することができる。
【００１３】
差込板２は、平面視で正方形状を成しており、その先端部分には、隙間への差込を円滑にするために、先端方向に向けて板厚が漸次減少する板厚減少部２Ａを有している。この差込板２は、当然、正方形以外の形状にすることも可能であり、幅や延出長さを自由に設定することができる。但し、差込板２は、箱類同士の隙間に差し込んでシートホルダＨ１全体を充分に保持し得る延出長さを有する。
【００１４】
保持片３は、基板１の幅寸法に相当する長さ寸法を有する短冊状の部材であって、基板１の正面の上端部に、長辺である上辺を回動可能に連結している。この保持片３は、柔軟性を有する薄肉状の連結部３Ａを介して基板１に一体化してあり、基板１に対して上下方向に回動可能である。また、保持片３は、その下端部に、正面方向に曲成した操作用片３Ｂを有している。さらに、基板１の正面及び保持片３の背面には、マグネット４及び磁性体５の下端部を夫々位置決めするための突起１Ｔ，３Ｔが設けてある。
【００１５】
マグネット４は、短冊状のマグネットシートである。また、磁性体５は、同じく短冊状を成しており、マグネット４が吸着可能であれば、材料等がとくに限定されるものではなく、マグネット４と同様のマグネットシートや、薄い金属板等を用いることができる。なお、マグネット４及び磁性体５は、基板１及び保持片３に対する配置関係を逆にしても構わない。
【００１６】
上記構成を備えたシートホルダＨ１は、図２（Ａ）に示すように、積み上げた箱類Ｂ，Ｂの水平な隙間ＳＨに、差込板２の全体を差し込むことにより、図２（Ｂ）に示すように、基板１を正面（図中で右方向）に向けた状態で固定される。この際、シートホルダＨ１は、差込板２の先端部分に板厚減少部２Ａを有するので、差し込み作業が円滑で且つ容易であると共に、箱類Ｂに損傷を与える心配も無い。
【００１７】
そして、シートホルダＨ１は、図１（Ｄ）に示すように、保持片３を上方に回動させて、マグネット４と磁性体５とを離間させ、双方の間にシートＳの上端を入り込ませる。この際、シートホルダＨ１は、保持片３が操作用片３Ｂを有するので、保持片３の取り扱いが容易である。
【００１８】
その後、シートホルダＨ１は、図１（Ｅ）に示すように、保持片３を下方に回動させ、互いに吸着するマグネット４と磁性体５とでシートＳの上端を挟持する。これにより、シートホルダＨ１は、図２（Ｂ）に示すように、シートＳを垂下状態に保持する。
【００１９】
また、シートホルダＨ１は、マグネット４と磁性５体の吸着力に抗して保持片３を回動させるだけで、シートＳを簡単に取り外すことができ、マグネット４と磁性体５の吸着力やシートＳの材質によっては、保持片３を操作せずにシートＳを引き抜くことも可能である。
【００２０】
このようにして、シートホルダＨ１は、とくに、商品を収容した箱類Ｂを積み上げた売り場などに好適であり、ポップ紙等のシートＳを所定位置に安定して保持することができると共に、シートＳの着脱を極めて簡単に行うことができる。
【００２１】
また、シートホルダＨ１は、箱類Ｂの隙間ＳＨを利用することから、取り付けるための支柱等の構造物が一切不要であると共に、別の隙間ＳＨに移動させることも容易である。さらに、シートホルダＨ１は、基板１が箱類Ｂの正面に沿った状態に固定され、箱類Ｂから突出することも無いので、売り場等における通行に邪魔にならずに商品の宣伝広告を表示することができ、ＰＯＰ用品として利用価値の高いものとなる。
【００２２】
図３〜図５は、本発明に係わるシートホルダの第２〜第５の実施形態を説明する図である。以下の各実施形態においては、第１実施形態と同一の構成部位に同一符号を付して、詳細な説明を省略する。
【００２３】
〈第２実施形態〉
図３に示すシートホルダＨ２は、基板１と、基板１の背面に対して垂直方向に延出する水平な差込板２を備えていると共に、基板１の正面に、短辺である側辺を回動可能に連結した保持片３を備えている。保持片３は、柔軟性を有する連結部材６を介して基板１に回動可能に連結してあり、その上下辺に、正面方向に曲成した操作用片３Ｂ，３Ｂを有している。
【００２４】
上記のシートホルダＨ１にあっても、図３（Ａ）に示すように、箱類Ｂ，Ｂ同士の水平な隙間ＳＨに差込片２を差し込むことにより、基板１を正面に向けた状態で固定される。そして、シートホルダＨ２は、図３（Ｂ）に示すように、保持片３を横方向に回動操作して、互いに吸着するマグネット４と磁性体５とでシートＳの上端を挟持し、同シートＳを垂下状態に保持する。また、シートホルダＨ２は、マグネット４と磁性体５の吸着力に抗して保持片３を回動させるだけで、シートＳを簡単に取り外すことができる。
【００２５】
このようにして、シートホルダＨ２は、とくに、商品を収容した箱類Ｂを積み上げた売り場などに好適であり、ポップ紙等のシートＳを所定位置に安定して保持することができると共に、シートＳの着脱を極めて簡単に行うことができる。
【００２６】
〈第３及び第４実施形態〉
図４（Ａ）に示す第３実施形態のシートホルダＨ３は、基板１と、基板１の背面に対して垂直方向に延出する垂直（鉛直）な差込板２と、上下方向に回動操作する保持片３（図１参照）とを備えている。図示例のシートホルダＨ３は、基板１の幅方向の中央部に、竪の差込板２を一体的に有するものである。
【００２７】
図４（Ｂ）に示す第４実施形態のシートホルダＨ４は、基板１と、基板１の背面に対して垂直方向に延出する水平な差込板２と、上下方向に回動操作する保持片３（図１参照）とを備えている。図示例のシートホルダＨ４は、基板１の高さ方向の中央部に、横の差込板２を一体的に有するものである。
【００２８】
図４（Ａ）に示すシートホルダＨ３は、図４（Ｃ）に示すように、積み上げた箱類Ｂの垂直な隙間ＳＶに差込板２を差し込むことにより固定され、シートＳを垂下状態に保持する。また、図４（Ｂ）に示すシートホルダＨ４は、同じく図４（Ｃ）に示すように、積み上げた箱類Ｂの水平な隙間ＳＨに差込板２を差し込むことにより固定され、シートＳを垂下状態に保持する。
【００２９】
上記の各シートホルダＨ３，Ｈ４にあっても、先の実施形態と同様に、とくに、商品を収容した箱類Ｂを積み上げた売り場などに好適であり、ポップ紙等のシートＳを所定位置に安定して保持し得ると共に、シートＳの着脱を極めて簡単に行うことができる。
【００３０】
〈第５実施形態〉
図５に示すシートホルダＨ５は、基板１と、基板１の背面に対して垂直方向に延出する差込片２と、基板１の正面に長辺である上辺を固定した保持片１３とを備えている。また、シートホルダＨ５は、基板１の正面と保持片１３との間に形成され且つ水平方向に連続する保持溝１４と、軸線を水平にして保持溝に収容した保持ローラ１５とを備えている。
【００３１】
そして、シートホルダＨ５は、保持片１３が、基板１の正面に相対向し且つ基板１の正面との間隔を下方向に漸次減少させる傾斜内面１３Ａを有している。図示例の保持片１３は、下端が基板１に接近する方向に傾斜しており、その内側に傾斜内面１３Ａを有するものであるが、正面を垂直にして、その内側に傾斜内面１３Ａを形成しても良い。
【００３２】
保持溝１４は、下方向に開放されていると共に、シートホルダＨ５の幅よりも大きいシートＳを保持し得るように、両端部も開放されている。保持ローラ１５は、保持溝１４の開放幅Ｗよりも大きい直径Ｒを有しており、保持溝１４の長手方向にわたる長さを有するものでも良いし、これを適数個に分割したものでも良い。
【００３３】
上記構成を備えたシートホルダＨ５は、積み上げた箱類Ｂの垂直な隙間ＳＶに差込板２を差し込むことにより固定される。ここで、シートホルダＨ５は、保持溝１４内で、保持ローラ１５が上下動自在である。但し、保持ローラ１５は、保持溝１４の開放幅Ｗよりも大きい直径Ｒを有するので、保持溝１４から脱落することはない。
【００３４】
上記のシートホルダＨ５は、シートＳの上端を保持溝１４に差し込むと、保持ローラ１５が上下動自在であるため、図５（Ａ）から（Ｂ）に移行するように、基板１の正面と保持ローラ１５の間にシートＳが挿入される。その後、シートホルダＨ５は、シートＳから手を離すと、図５（Ｃ）に示すように、基板１の正面と傾斜内面１３Ａにより下降規制される保持ローラ１５とでシートＳを挟持し、同シートを垂下状態に保持する。
【００３５】
すなわち、この実施形態のシートホルダＨ５は、保持溝１４にシートＳの上端を差し込むだけでシートＳを保持することができる。また、シートホルダＨ５は、シートＳを上方向に動かして保持ローラ１５の下降規制を解除しつつ、同シートＳを横方向に移動させれば、同シートＳを簡単に取り外すことができる。
【００３６】
このように、上記のシートホルダＨ５は、とくに、商品を収容した箱類Ｂを積み上げた売り場などに好適であり、ポップ紙等のシートＳを所定位置に安定して保持することができると共に、シートＳの着脱を簡単に行うことができる。
【００３７】
〈第６実施形態〉
図６（Ａ）に示すシートホルダＨ６は、竪の基板１と、基板１の背面に対して垂直方向に延出する差込板２と、基板１の正面に一辺を回動可能に連結した保持片３とを備えている。この実施形態のシートホルダＨ６は、基板１の背面の上端部に、差込板２が一体的に設けてある。また、シートホルダＨ６は、基板１の正面の下端部に、保持片３の長辺である下辺が回動可能に連結してある。
【００３８】
このシートホルダ６は、プラスチック製シートのように、自立可能なシートＳを保持するのに好適であり、図６（Ａ）に示すように、シートＳを自立状態に保持する。すなわち、シートホルダＨ６は、箱類Ｂ，Ｂの水平な隙間ＳＨに差込板２を差し込むことにより固定される。そして、シートホルダＨ６は、図６（Ｂ）に示すように、保持片３を下方に回動させることで、シートＳの下端を挟持する。また、シートホルダＨ６は、保持片３の回動とともにシートＳの取り外しが可能であり、保持片３を回動させずにシートＳを引き抜くことも可能である。
【００３９】
上記のシートホルダＨ６は、先の各実施形態と同様に、商品を収容した箱類Ｂを積み上げた売り場などに好適であり、とくに、自立可能なシートＳを所定位置に安定して保持することができると共に、シートＳの着脱を簡単に行うことができる。
【００４０】
また、上記のシートホルダＨ６は、基板１の高さ寸法を充分に確保することにより、上側の箱類Ｂが取り除かれた場合でも、シートＣが上方に大きく突出して邪魔になることもなく、また、基板１の上端に差込板２を有するので、箱類Ｂへの載置状態が維持され、簡単に脱落することもない。なお、自立可能なシートＳを保持する場合、基板１にシートＳを差し込むスリットを形成することも考えられるが、回動する保持片３やマグネット４及び磁性体５を用いれば、シートＳの保持機能がより充分になることが明らかである。
【００４１】
本発明に係わるシートホルダは、具体的な構成が上記各実施形態に限定されるものではなく、本発明の要旨を逸脱しない範囲で、各部の形態や材料などの構成を適宜変更することが可能である。シートホルダは、例えば、基板に対して複数の保持片を回動可能に設けたり、マグネットや磁性体を複数箇所に設けたりすることができる。また、シートホルダは、基板にマグネットを配置し、保持片自体を磁性体で形成しても良い。さらに、シートホルダは、箱類を積み上げた売り場での使用に限らず、倉庫内などの同様の状況下で使用することができる。
【符号の説明】
【００４２】
Ｂ  箱類
Ｈ１〜Ｈ６  シートホルダ
Ｓ  シート
ＳＨ，ＳＶ  隙間
１  基板
２  差込板
３  保持片
４  マグネット
５  磁性体
１３  保持片
１３Ａ  傾斜内面
１４  保持溝
１５  保持ローラ
【図１】
2019020435.tif 000003
【図２】
2019020435.tif 000004
【図３】
2019020435.tif 000005
【図４】
2019020435.tif 000006
【図５】
2019020435.tif 000007
【図６】
2019020435.tif 000008